Podtech/llm-jp-corpus-v4-ja_patent huggingface dataset:
(57)【要約】【課題】加工機械の稼働状況に関する各種データや、生産管理に役立つような各種データをパソコン側に取り込み、その後のデータ解析に活用出来るようにした加工機械の稼働状況及び生産管理システムの提供を目的とする。【解決手段】加工機械とパーソナルコンピューター（パソコン）をデータ通信手段を用いてネットワーク接続し、パソコン側から加工機械に周期的に稼働状況等のデータ出力指令信号を発信する出力指令信号発信手段を備え、この出力指令信号に基づいて、加工機械から各種データをパソコン側に送信するデータ送信手段を備え、このデータの種類に対応して、予め格納されていたデータファイルあるいは新規作成されたデータファイルに、データ毎にカンマで区切りをつけたＣＳＶ（Ｃｏｍｍａ　Ｓｅｐａｒａｔｅｄ　Ｖａｌｕｅｓ）形式ファイルに格納するＣＳＶ形式データ格納手段とを備えた加工機械の稼働状況及び生産管理システムとした。【選択図】　図１
2004030119.tif 000002
【特許請求の範囲】
【請求項１】
工作機械等の加工機械とパーソナルコンピューター（パソコン）をデータ通信手段を用いてネットワーク接続し、パソコン側から加工機械に周期的に稼働状況等のデータ出力指令信号を発信する出力指令信号発信手段を備え、この出力指令信号に基づいて、加工機械から各種データをパソコン側に送信するデータ送信手段を備え、このデータの種類に対応して、予め格納されていたデータファイルあるいは新規作成されたデータファイルに、データ毎にカンマで区切りをつけたＣＳＶ（Ｃｏｍｍａ　Ｓｅｐａｒａｔｅｄ　Ｖａｌｕｅｓ）形式ファイルに格納するＣＳＶ形式データ格納手段とを備えたことを特徴とする加工機械の稼働状況及び生産管理システム。
【発明の詳細な説明】
【０００１】
【発明の属する技術分野】
本発明は、旋盤等の工作機械や液晶基板、レンズの加工等、各種加工機械とパーソナルコンピューター（以下パソコンと称す）とをデータ通信手段を用いてネットワーク接続し、加工機械の稼働状況を示すデータやオペレーターが入力する工具交換等の生産管理データ等を取得し、稼働率や故障解析に活用できる加工機械の稼働状況及び生産管理システムに関する。
【０００２】
【従来の技術】
数値制御された工作機械等の各種加工機械においては、加工プログラム等を作成し、これを集中管理し、パソコン側と加工機械側とを通信ケーブル等にてネットワーク接続し、これらのデータ等をやり取りしている場合が多くなってきている。
しかし、データがデータ通信手段にて自由にやり取りできるのに、加工機械の稼働状況（例えば、自動運転の有無、故障アラーム、モーター類の温度、実行プログラムに関するデータ、各種モーター類のロードデータ等）や加工機械の段取り時間、工具交換に関するデータ等の生産管理情報が充分に活用されていない状況であった。
【０００３】
【発明が解決しようとする課題】
本発明は、加工機械の稼働状況に関する各種データや、生産管理に役立つような各種データをパソコン側に取り込み、その後のデータ解析に活用出来るようにした加工機械の稼働状況及び生産管理システムの提供を目的とする。
【０００４】
【課題を解決するための手段】
本発明は、上記目的を達成するために、工作機械等の加工機械とパーソナルコンピューター（パソコン）をデータ通信手段を用いてネットワーク接続し、パソコン側から加工機械に周期的に稼働状況等のデータ出力指令信号を発信する出力指令信号発信手段を備え、この出力指令信号に基づいて、加工機械から各種データをパソコン側に送信するデータ送信手段を備え、このデータの種類に対応して、予め格納されていたデータファイルあるいは新規作成されたデータファイルに、データ毎にカンマで区切りをつけたＣＳＶ（Ｃｏｍｍａ　Ｓｅｐａｒａｔｅｄ　Ｖａｌｕｅｓ）形式ファイルに格納するＣＳＶ形式データ格納手段とを備えた加工機械の稼働状況及び生産管理システムとした。
【０００５】
加工機械から発信される各種データをＣＳＶ形式にて書き込み取り込んだのはＣＳＶ形式データがいわゆる、エクセル（商標）等表計算ソフト、データベースソフト等への互換性が高く、必要に応じてデータを取り出して各種解析に活用することができるからである。
従って、タブ区切りデータやＳＹＬＫ形式データでも良い。
【０００６】
ここで取り込まれるデータには、各種データが含まれる。
加工機械の稼働状況を示すデータとしては、自動運転中又は手動運転中等の運転状態、各種アラームの警報発信情報、刃物台やモータ等の駆動部の温度、加工プログラムの実行状況、各種モーター類のロードデータ等が例として上げられる。
また、生産管理に役立つデータとしては、加工機械に自動的に取り込まれるデータのみならず、オペレーターが入力するデータも含まれ、オペレーターの行う段取り時間、工具交換頻度、工具の種類等も例として上げられる。
【０００７】
書き込まれたデータを出力して解析、活用する例としては、稼働率、生産個数、加工工数等の集計のみならず、アラーム発生時の加工機械の各種データに基づく故障解析等が上げられる。
【０００８】
【発明の実施の形態】
本発明におけるデータの流れを図１のフローチャートに基づいて以下説明する。
旋盤等の工作機械や液晶基板、レンズ等の加工に用いられる各種加工機械（１）とパソコン（２）をデータ通信ケーブル等にてネットワーク接続する。
パソコン側から加工機械に対して、周期的に稼働等データ出力指令（３）を発信する。
このようにして、周期的にデータ出力指令を発信することにより、時経列的解析に活用しやすくなる。
上記指令に基づいて、加工機械側から送信されたデータは、パソコン側にて周期的な稼働データ、生産管理データ等として取得する（４）。
この場合に、データ入力するＣＳＶファイルのファイル名及びパスを指定しておくことができる（５）。
指定した場所にデータに対応したファイルが存在する場合には、そのファイルを開き（７）、該当するファイルが存在しない場合には、新規にファイルが作成される（８）。
該当するファイルが開かれるか新規ファイルが作成されると、加工機械側の各種データがデータ毎にカンマで区切られた文字列が作成され、ＣＳＶ形式データとして新規又は追加データとして書き込まれ（９）、ファイルが閉じる（１０）。
次に、必要に応じて各種データーを取り出し、他のアプリケーションソフトにて集計及び解析に役立てることができる（１１）。
【０００９】
【発明の効果】
本発明においては、加工機械とパソコンをネットワーク接続し、加工機械側に発生した時経列データやオペレーターが入力したデータを周期的にパソコン側にＣＳＶ形式データとして取り込むシステムにしたので、他のアプリケーションソフトとの互換性が高く、必要なデータを必要な時に取り出して集計や解析に活用することができる。
【図面の簡単な説明】
【図１】本発明におけるデータのフローチャート例を示す。
【図１】
2004030119.tif 000003
(57)【要約】【課題】ＩＣカードに顔写真を貼れるようにする。【解決手段】ＩＣカードの本体の表面又は裏面の一部分に凹状面を形成し、顔写真を貼れるようにしたことを特徴とする。【選択図】　　　図１
2004030243.tif 000002
【特許請求の範囲】
【請求項１】
ＩＣカードの本体の表面又は裏面の一部分に凹状面を形成したことを特徴とするＩＣカード。
【請求項２】
請求項１に記載のＩＣカードにおいて、ＩＣカードの本体の販売時は、凹状面にダミーシールが貼付されていることを特徴とするＩＣカード。
【請求項３】
請求項１又は２に記載のＩＣカードにおいて、凹状面には自己の顔写真を貼付することを特徴とするＩＣカード。
【請求項４】
請求項１〜３のいずれかに記載のＩＣカードにおいて、ＩＣカードの本体には非接触式自動改札機と交信するための無線通信機能が内蔵されていることを特徴とするＩＣカード。
【発明の詳細な説明】
【発明の属する技術分野】
本発明は、非接触式自動改札機等のＩＣカード処理機で使用されるＩＣカードに関する。
【０００１】
【従来の技術】
従来、この種のＩＣカードは、そのＩＣカードの本体（以下、ＩＣカードの本体を含めてＩＣカードとして説明する）の表面は、ＩＣカードの種別等の所定の内容が印字され、また、そのＩＣカードの裏面には、そのＩＣカードの使用方法や注意事項等の所定の内容が印字されている。
【０００２】
例えば、ＩＣカードが非接触式自動改札機で使用される非接触式券の場合は、ＩＣカードの表面には、乗車区間や有効機関等の所定の内容がリライト式で印字され、また、そのＩＣカードが非接触式自動改札機で使用できるＳＦカードの場合、そのＩＣカードの表面には、ＩＣカードがＳＦカードである旨を示す所定の内容が印字されている。
【０００３】
【発明が解決しようとする課題】
しかしながら、上記従来のＩＣカードは、そのＩＣカードの表面又は裏面に印字される内容は、他のＩＣカードと共通し、自己のＩＣカードと他人のＩＣカードとの区別がつきにくく、したがって、他人の手に渡ったときに不正使用されるおそれがあった。
【０００４】
このような不都合を防止するために、ＩＣカード発行時に、ＩＣカードの表面に顔写真を写真印刷方式で印刷するようにすることも考えられるが、写真装置をＩＣカード発行機に組込むとコスト高になるとともに、発券処理時間が長くなるという新たな問題点が発生してしまう。
【０００５】
そこで、本発明は、上記欠点を解決するためになされたものであって、その目的はＩＣカードが自己のＩＣカードであることを示す内容を容易に貼付することのできるＩＣカードを提供することにある。
【０００６】
【課題を解決するための手段】
本発明に係るＩＣカードは、上記目的を達成するために、請求項１に記載の発明は、ＩＣカードの本体の表面又は裏面の一部分に凹状面を形成したことを特徴としている。
請求項２に記載のＩＣカードは、ＩＣカードの本体の販売時は、凹状面にダミーシールが貼付されていることを特徴としている。
請求項３に記載のＩＣカードは、凹状面には自己の顔写真を貼付することを特徴としている。
請求項４に記載のＩＣカードは、ＩＣカードの本体には非接触式自動改札機と交信するための無線通信機能が内蔵されていることを特徴としている。
【０００７】
【発明の実施の形態】
以下、本発明の実施の形態を図面に基づいて説明する。図１（ａ）は、一実施の形態に係るＩＣカードの正面図、同図（ｂ）は、同図（ａ）のＡ−Ａ線拡大断面図である。
【０００８】
ＩＣカードＣの表面には、カードの種類、そのカードの持ち主名及びカードの番号が印字されているとともに、そのＩＣカードＣの裏面には、図示しないがカードの使用方法及び注意事項が印字されている。
【０００９】
図中、１は、ＩＣカードＣの持ち主の顔写真であり、この顔写真１は、ＩＣカードＣの表面の一部分に設けられた凹状面２に貼付されている。すなわち、このＩＣカードＣの表面には、予め、深さが１ｍｍ程度の凹状面２が形成されている。この凹状面２は、ＩＣカードＣ内に無線通信機能を備えたＩＣチップ（図示せず）を内蔵させて成形する際に形成される。
【００１０】
ＩＣカードＣが成形された当初は、凹状面２に何も貼付されていないので、この凹状面２には、図２（ａ），（ｂ）に示されるダミー３が貼付される。このダミー３は、凹状面２よりも少し大きい面を有し、かつ、容易に剥離することのできる接着剤を用いてその凹状面２を覆うように貼付されるシール３ａと、そのシール３ａの裏側で、ちょうど凹状面２に挿入できる厚さを有する充填材２ｂとから形成されている。したがって、このシール３ａがＩＣカードＣに貼付されているときは、ＩＣカードＣの表面を平滑にすることができ、ＩＣカードＣを発行機で発行するときに障害になることがない。また、利用者が顔写真１を凹状面２に貼付しない場合でも、ＩＣカードＣの表面に凹状面２が表れないので、利用者のカード取扱いに不便を来すことがない。
【００１１】
利用者がＩＣカードＣの凹状面２に自己の顔写真１を貼付するときは、シール３ａを剥がして表れた凹状面２内に、用意したある顔写真１を貼付することにより容易に貼付することができる。
【００１２】
なお、上述の例では、凹状面２に貼付するものとして顔写真１としたが、自己の好みの、例えば花柄模様等を貼付してもよい。また、上述の例では、凹状面２をＩＣカードＣの表面に設けたが裏面に設けるようにしてもよい。
【００１３】
【発明の効果】
本発明の請求項１に記載のＩＣカードは、ＩＣカードの本体の表面又は裏面の一部分に凹状面を形成したので、凹状面に好みのものを貼付することができる。本発明の請求項２に記載のＩＣカードは、ＩＣカードの本体の販売時は凹状面にダミーシールが貼付されているので、凹状面に何も貼付しないときにカード表面を滑らかにすることができる。
本発明の請求項３に記載のＩＣカードは、凹状面には自己の顔写真を貼付するので、ＩＣカードの持ち主を顔写真で特定することができる。
本発明の請求項４に記載のＩＣカードは、ＩＣカードの本体には非接触式自動改札機と交信するための無線通信機能が内蔵されているので、非接触式自動改札機で用いられるＩＣカードの他人のよる不正使用を未然に防止することができる。
【図面の簡単な説明】
【図１】（ａ）は、一実施の形態に係るＩＣカードの正面図、（ｂ）は、（ａ）のＡ−Ａ線拡大断面図である。
【図２】（ａ）はダミーを貼付した状態の正面図、（ｂ）は、（ａ）のＢ−Ｂ線断面図である。
【符号の説明】
Ｃ　　　ＩＣカード（ＩＣカードの本体）
１　　　顔写真
２　　　凹状面
３　　　ダミー
３ａ　　　シール
３ｂ　　　充填材
【図１】
2004030243.tif 000003
【図２】
2004030243.tif 000004
(57)【要約】【課題】監視エリア内の侵入者の情報を自動的に検知する。【解決手段】監視エリア１の床面に埋設される多数のリーダーアンテナ３と、監視エリアを撮像するカメラ５と、監視エリア内に出入りする人に携帯されるＩＤタグ６と、前記リーダーアンテナからの検知信号とカメラからの撮像情報に基づいて、監視エリア内の人の出入りの判定処理を行う演算処理装置４とを備え、ＩＤタグの反応がないにもかかわらず、人がカメラ上に撮像された場合は、認証をしていない人の侵入として検知する。【選択図】図１
2004030022.tif 000002
【特許請求の範囲】
【請求項１】
監視エリアの床面に埋設される多数のリーダーアンテナと、監視エリアを撮像するカメラと、監視エリア内に出入りする人に携帯されるＩＤタグと、前記リーダーアンテナからの検知信号とカメラからの撮像情報に基づいて、監視エリア内の人の出入りの判定処理を行う演算処理装置とを備え、ＩＤタグの反応がないにもかかわらず、人がカメラ上に撮像された場合は、認証をしていない人の侵入として検知することを特徴とする侵入検知システム。
【発明の詳細な説明】
【０００１】
【発明の属する技術分野】本発明は、施設の安全性を確保する監視手段に用いられる侵入検知システムに関する。
【０００２】
【従来の技術】従来、施設の安全性を確保する手段として、所定の監視エリアをカメラにより撮像し、その画像信号を監視センターに伝送し、これをモニタ画面に表示させて侵入者等の監視を行うシステムが知られている。
【０００３】しかしながら、従来の監視システムにおいては、カメラに撮像されている対象が、誰であるか、何であるかを検視することは非常に困難である。カメラで判断できることは、視野内に何か動きがある等の変化を認識する程度であり、動いたものが何であるかについて判定することは、高度な画像処理技術を必要とし、また、一般的に高価かつ複雑な演算・処理系が必要になる。
【０００４】一方、別の技術に代表されるような個体識別用のタグが知られている。これは、検視したい対象に取り付け、専用のリーダー（アンテナ）により、ＩＤ（識別情報）を読みとることにより、各個体、人の場合には誰であるかを識別することができる。現在広く利用されている技術では数１０ｃｍ程度の検知範囲（近距離タイプ）であるが、近年は数１０ｍの検知範囲（中距離タイプ）の製品も販売されつつあり、利用の拡大が見込まれている。
【０００５】
【発明が解決しようとする課題】しかしながら、個体識別用のタグによる方式は、タグを持っていない人は検知することはできないという問題を有し、また、特に中距離タイプのタグの場合、カメラと同程度の検知範囲を有し、そこにいる人を検知するのに有効であるが、検知した人がどこにいるかを正確に（数ｃｍ単位のレベルで）把握することは困難であるという問題を有している。
【０００６】本発明は、上記従来の問題を解決するものであって、監視エリア内の侵入者の情報を自動的に検知することができる侵入検知システムを提供することを目的とする。
【０００７】
【課題を解決するための手段】上記目的を達成するために、本発明の侵入検知システムは、監視エリアの床面に埋設される多数のリーダーアンテナと、監視エリアを撮像するカメラと、監視エリア内に出入りする人に携帯されるＩＤタグと、前記リーダーアンテナからの検知信号とカメラからの撮像情報に基づいて、監視エリア内の人の出入りの判定処理を行う演算処理装置とを備え、ＩＤタグの反応がないにもかかわらず、人がカメラ上に撮像された場合は、認証をしていない人の侵入として検知することを特徴とする。
【０００８】
【発明の実施の形態】以下、本発明の実施の形態を図面を参照しつつ説明する。図１は、本発明の侵入検知システムの１実施形態を示し、図１（Ａ）はシステム構成図、図１（Ｂ）は概念図、図２および図３は、本発明の作用を説明するための図である。
【０００９】監視エリア１内の床面２には、多数のリーダーアンテナ（受信器）３が埋設されている。このリーダーアンテナ３は、比較的細かい間隔で配置され、その間隔は人の検知を行いたい位置分解能によって決まり、一例として１ｍ毎に格子状に配置される。各リーダーアンテナ３は、演算処理装置４に接続されている。
【００１０】一方、監視エリア１を撮像可能な位置には、カメラ５が設置され演算処理装置４に接続されている。監視エリア１内を出入りする人、Ａさん、Ｂさんは、ＩＤタグ（識別情報発信器）６を携帯している。
【００１１】演算処理装置４は、リーダーアンテナ３からの検知信号と、カメラ５からの撮像情報に基づいて、監視エリア１内の人の出入りの判定処理を行い、その結果をディスプレイ等の表示装置７に出力するように構成されている。
【００１２】ＩＤタグ６による人の検知は、ＩＤタグの発信信号に対して最も強い信号強度を受信したリーダーアンテナ３の位置に、そのＩＤタグ６を携帯している人がいると判断する。例えば、図１（Ｂ）において、Ａ行２列にＡさん、Ｄ行３列にＢさんがいると判断する。
【００１３】図２に示すように、この様子をカメラ５で撮像した場合、検知したリーダーアンテナ３の位置を元に写った人の位置とを照合することにより、写っている人が誰であるかを判定することができる。表示装置７の画面上には人が写っている様子のみになるが、リーダーアンテナ３の画面上での位置が特定できるため、検知したＩＤタグ検知情報に基づいて、そこに写っている人の同定をすることができる。
【００１４】また、図３に示すように、カメラ５に写っていることが確認されたにもかかわらず、ＩＤタグ６の反応が得られなかった場合は、何らかのイレギュラーな人の侵入があったと判断することができる。すなわち、ＩＤタグ６の反応がないにもかかわらず、人がカメラ５上に撮像された場合は、認証をしていない人の侵入として検知することができる。
【００１５】
【発明の効果】以上の説明から明らかなように、本発明によれば、自動的に侵入者のＩＤを確認できるだけではなく、不審者の侵入を自動的に検知することができ、施設の安全性向上に寄与することができる。
【図面の簡単な説明】
【図１】本発明の侵入検知システムの１実施形態を示し、図１（Ａ）はシステム構成図、図１（Ｂ）は概念図である。
【図２】本発明の作用を説明するための図である。
【図３】本発明の作用を説明するための図である。
【符号の説明】
１…監視エリア
３…リーダーアンテナ
４…演算処理装置
５…カメラ
６…ＩＤタグ
【図１】
2004030022.tif 000003
【図２】
2004030022.tif 000004
【図３】
2004030022.tif 000005
(57)【要約】【課題】複数の加工ヘッドを有する数値制御工作機械における加工ヘッドとその加工ヘッド用加工プログラムの登録間違いを未然に防止出来、加工ヘッドの干渉トラブルを防ぐのに効果的な加工プログラム制御方法の提供を目的とする。【解決手段】、複数の加工ヘッドを有する数値制御工作機械において、工作機械本体制御プログラムファイル格納手段と、それぞれの加工ヘッドに加工プログラムファイル格納手段を有し、工作機械本体制御プログラムの実行により、必要な加工ヘッド番号呼出指令と加工プログラム呼出指令が出力されると、加工ヘッド番号と加工プログラム番号の一致を確認する手段を有し、上記加工ヘッド番号と加工プログラム番号が一致したときにのみ、加工開始指令が出力されることを特徴とする複数の加工ヘッドを有する工作機械の加工プログラム制御とした。【選択図】　図１
2004030009.tif 000002
【特許請求の範囲】
【請求項１】
複数の加工ヘッドを有する数値制御工作機械において、工作機械本体制御プログラムファイル格納手段と、それぞれの加工ヘッドに加工プログラムファイル格納手段を有し、工作機械本体制御プログラムの実行により、必要な加工ヘッド番号呼出指令と加工プログラム呼出指令が出力されると、加工ヘッド番号と加工プログラム番号の一致を確認する手段を有し、上記加工ヘッド番号と加工プログラム番号が一致したときにのみ、加工開始指令が出力されることを特徴とする複数の加工ヘッドを有する工作機械の加工プログラム制御方法。
【発明の詳細な説明】
【０００１】
【発明の属する技術分野】
複数のタレット工具やスピンドルツール軸等、複数の加工ヘッドを有する数値制御工作機械における実行指令が出された加工ヘッドの加工プログラムの確認機能を有する加工プログラム制御方法に関する。
【０００２】
【従来の技術】
最近の数値制御工作機械においては、複合化が進展し、複数のタレット工具を設けたり、複数のスピンドルツール軸等を備えたりした複数加工ヘッド工作機械が主流になりつつある。
【０００３】
この場合に、加工される製品に合わせて加工プログラムが作成されることになるが、加工プログラムファイルの格納の自由度を高めるために、加工ヘッド側に加工プログラム格納手段を設ける場合が多い。
これを図示式化したのが図２に示す構成図である。
工作機械の制御部には、工作機械本体制御プログラムが格納されていると同時に、各加工ヘッド毎に加工プログラムを登録する加工プログラムファイル格納手段が備えられている。
従って、プログラマーは、その作成された加工プログラムファイルがどの加工ヘッドのものかを確認した上で加工プログラム登録する必要がある。
【０００４】
しかし、一般に加工プログラムを作成する者と工作機械を操作するオペレーターとが異なる。
しかも、加工プログラムは工作機械の設置場所とは異なる場所にて作成及び管理される場合が多い。
その為に、工作機械のオペレーターが誤って正規の加工ヘッドとは異なる加工ヘッドに加工プログラムを入力登録する場合もあった。
即ち、仮に第２加工ヘッド用の加工プログラムを間違って第１加工ヘッドに登録したとしても、第１加工ヘッドはその間違えて登録された加工プログラムに従って実行されるのでツールが誤動作を起こし、干渉トラブル等が発生してしまう問題があった。
【０００５】
これをフローチャートに示したのが図３である。
スタート指令（１１）が出されると、工作機械本体制御プログラム（１２）が必要な加工ヘッド番号を呼出し（１３）、この呼出された加工ヘッドがその加工ヘッドにオペレーターが登録した加工プログラム（１５）に基づいて加工が開始される（１４）。
加工ヘッドとオペレーターが登録プログラムの本来の加工ヘッドが一致すると正常に加工が完了するが、一致しなかった場合には加工トラブル（１６）につながる。
【０００６】
【発明が解決しようとする課題】
本願発明は、上記従来技術の有する技術的課題に鑑みて、複数の加工ヘッドを有する数値制御工作機械における加工ヘッドとその加工ヘッド用加工プログラムの登録間違いを未然に防止出来、加工ヘッドの干渉トラブルを防ぐのに効果的な加工プログラム制御方法の提供を目的とする。
【０００７】
【課題を解決するための手段】
上記目的を達成するために、複数の加工ヘッドを有する数値制御工作機械において、工作機械本体制御プログラムファイル格納手段と、それぞれの加工ヘッドに加工プログラムファイル格納手段を有し、工作機械本体制御プログラムの実行により、必要な加工ヘッド番号呼出指令と加工プログラム呼出指令が出力されると、加工ヘッド番号と加工プログラム番号の一致を確認する手段を有し、上記加工ヘッド番号と加工プログラム番号が一致したときにのみ、加工開始指令が出力されることを特徴とする複数の加工ヘッドを有する工作機械の加工プログラム制御とした。
【０００８】
【発明の実施の形態】
本発明の実施の形態を以下、図１に示すフローチャートに基づいて説明する。スタート指令（１）が出ると、工作機械本体制御プログラム（２）が実行され、加工ヘッド番号呼出指令（３）と加工プログラム番号呼出指令（４）が出力される。
次に、加工ヘッド番号と加工プログラム番号が一致しているか否かを確認する（５）。
この確認方法としては、登録される加工プログラムに、予めＧコード等の確認指令コードを入力しておく方法等がある。
このようにして、加工ヘッド番号と加工プログラム番号が一致したときにのみ、加工開始指令（６）が出力され、それ以外のときは警告指令が出力され、アラーム処理される（７）。
【０００９】
【発明の効果】
本発明においては、加工ヘッドとそれに対する加工プログラムの間違いを未然に防ぐことができるので、加工ツールの干渉や機械故障を防止できる。
またこれにより、オペレーターの作業確認負担が低減される。
【図面の簡単な説明】
【図１】本発明の加工プログラム制御フローチャート例を示す。
【図２】従来のプログラム登録方法を示す。
【図３】従来の加工プログラムフローチャート例を示す。
【図１】
2004030009.tif 000003
【図２】
2004030009.tif 000004
【図３】
2004030009.tif 000005
(57)【要約】　　　（修正有）【課題】従来、再会を希望する人達には電子掲示板システムのように、手がかりになる言葉やコメントを表示して相手を捜すしかありません。この場合プライバシー保護の観点から秘匿性が不十分であります。また、一端電子掲示板に表示してしまえば、一方的に受け身で、間違ったメールが殺到する恐れがあります。【解決手段】本発明は、思い出の単語の積み重ねにより、利用者双方の記憶を喚起し、ヒントに基ずくパスワードを解かなければ、相手のアドレスが分からないシステムになっているので、誤った紹介を極力防いでいます。【選択図】図２
2004030545.tif 000002
【特許請求の範囲】
【請求項１】
再会を希望する人達の為の専用サイトである。
【請求項２】
その方法は、不特定多数の人に個人情報を不用意に公開することなく可能にした。
【請求項３】
その方法として、キーワードなる単語を積み重ねる手段を用いた。
【請求項４】
確定の手段として、パスワードにヒントを付けることによって、誤った紹介を極力防いだ。
【請求項５】
再会希望者達の希望をかなえる為に、システムとして確立できた。
【発明の詳細な説明】
【０００１】
【発明の属する技術分野】
本発明は、正確な再会とプライバシーの保護を希望する人達の要求に答えるシステムを確立した。その手段に関する。
【０００２】
【従来の技術】
従来の電子掲示板システムでは、概略情報の提示、閲覧というユーザーの作業の上、掲示者を介して知り合うことになっていて、相手の特定に限界があった。
【発明が解決しようとしている課題】
【０００３】
再会の機会を求めている人達に対して、専用のサイトがなかった。
【０００４】
掲示版に乗せれば、単語が整理されて掲示されているので、そのまま不特定多数の人に見られてしまい、プライバシー保護の見地から望ましくない。
【０００５】
条件が満たされればそれが間違っていても接続してしまうシステムに問題があった。
【発明の実施の形態】
【０００６】
発明の実施の形態は利用者の操作手順を説明により明らかにします。
利用者は登録者と閲覧者に区別されますので分けて申し上げます。
（登録者）図１
会員になり、会員が連絡したい人との思い出の単語をいくつか列挙します。その数が多い方が絞り込みの精度が上がります。そして別に一つのパスワードとインターネットや携帯電話のアドレスを明記します。パスワードにはヒントを設けます。以上で登録完了です。
（閲覧者）図２
「再会サイト」を開いてみます。そこにはランダムに無数の単語が並んでいます。その中で自分の心に残っている単語や関わりのある単語をクリックしていきます。クリックする度に残りの単語の数が絞られ、特定の人が明確に思い出されるかもしれません。そこで最後にパスワードの画面になります。パスワードの画面を開くのには会員登録を行います。開くとパスワードを求めるヒントが現れます。それによってパスワードを入力し、一致すれば登録者のアドレスが分かります。一致しなければ人違いだったということで終了します。
【発明の効果】
【０００７】
このシステムは、特定の人に対して、キーワードの積み重ねで記憶の喚起ができ、パスワードによって確認ができると共に、いたずらメールの対策もできています。その上でのアドレスの紹介に至ります。連絡の取れない再開を望む人たちが連絡を取り合うことができることが可能になった素晴らしいシステムだと思います。このシステムは、より簡易に且つ正確に再会できることを可能にすることを目指してることは事実ですが、年配者が、これを閲覧することによって、心の旅ができる効果もあると期待しております。失われつつある日本文化の中で、世界に誇れる新しい文化が日本で誕生し、世界で育っていくのを夢見ております。
【図面の簡単な説明】
【図１】登録者側のシステム手順をフローチャートにより表示
【図２】閲覧者側のシステム手順をフローチャートにより表示
【図１】
2004030545.tif 000003
【図２】
2004030545.tif 000004
(57)【要約】【課題】これまでのインターネット接続機能付き携帯電話の情報サービスでは顧客が必要とする商品情報を迅速、かつ的確には提供できなかった。【解決手段】商品識別コードを携帯電話にキー入力、或いは画像認識させ、インターネット上の商品情報を蓄積したサーバーより顧客の求める商品の情報を迅速、的確に提供する。【特許請求の範囲】
【請求項１】
インターネット接続機能付き携帯電話及び、個人向け情報端末に商品識別コードを入力、或いは画像認識させる機能。
【請求項２】
商品識別コードを入力或いは、認識できる携帯電話及び、個人向け情報端末から、商品識別コードをもとに　インターネット上のサーバーから、該当商品・サービスの詳細情報、関連情報、動画・画像・音声・音楽情報をその携帯電話及び、個人向け情報端末に送り返すシステム。
【請求項３】
商品識別コードによる、インターネット接続機能付き携帯電話及び、個人向け情報端末からのサーバーへのアクセスデータをもとにした顧客情報のデータベース化システム。
【発明の詳細な説明】
【０００１】
【発明の属する技術分野】
本願発明は、携帯電話を所有する顧客が、インターネットを経由し、必要とする商品情報をいつでもどこでも非常に簡単に入手できる商品情報入手システムに関するものである。
【０００２】
【従来の技術】
従来、顧客が店頭で偶然に出会い、興味・関心を持った商品の詳細情報を携帯電話で即座に検索できるシステムは存在しなかった。
携帯電話向けのインターネットによる情報提供サービスはサイトを運営、協力する企業、団体の利益を前提に構築されてきた。そのため、顧客が本当に必要とする情報をジャストインタイムで提供できるシステムからは程遠いものであった。必要とする商品情報を顧客が入手するには、企業名、商品名の入力など非常に多くのステップが必要であった。また、アクセスしたサイトの内部が階層的に構成されることが多く、目的とする情報を得るには多くの時間と労力を必要としていた。
【０００３】
【発明が解決しようとする課題】
情報入手のための時間がかかり、しかもその手続きが複雑なため、顧客は求める商品情報を携帯電話から入手することを諦めたり、求める情報の有無を正確に確認することができないまま、情報の入手を断念することも多かった。これが店頭における、購入意志決定の阻害要因となっていた。本願発明はこれらの課題を解決するためのものである。
【０００４】
【課題を解決するための手段】
本願発明においては、市場に広く普及する商品識別コードであるバーコード、および付記されるバーコードナンバーを利用する。もしくは独自の商品識別コードの規格を定める。これを携帯電話にてキー入力、或いは普及しつつあるデジタルカメラ付きの携帯電話にて画像認識させる。このことで、興味のある商品を瞬時に特定し、これに関する必要な情報をインターネット上のサーバーより、ダイレクトに入手する。
【０００５】
【考案の実施の形態】
インターネット上のサーバーに商品識別コードにもとづいてデータベース化された、商品情報を蓄積。顧客の携帯電話より入力或いは認識され送信されてくる、商品識別コードに対応した商品の情報をダイレクトにその顧客の携帯電話に送り返す。
【０００６】
【実施例】
例えば、顧客が店頭にて、ある商品に興味を持つ。その商品のパッケージの情報では不十分と認識したとき、その商品識別コードを入力、認識させ即座に必要な情報をインターネット上のサーバーより得る。
【０００７】
【考案の効果】
顧客はいつでも、どこでも興味、関心を持った商品の情報を迅速、且つ的確に入手でき、購入意思決定において最適のサポートをうけることができる。
また、商品、サービスを提供する企業にとっては　顧客が店頭でどんな商品にどのタイミングで興味を持ったかを的確に把握することができ、顧客の購買行動に密着した高度なマーケティング戦略の立案が可能となる。
(57)【要約】　　　（修正有）【課題】横の関係、すなわち、間柄が多い場合は一画面に表示できない。又、縦の関係、すなわち、中心人物からの紹介者が多い場合も一画面に表示出来ない。【解決手段】画面上に左クリックボード５と、右移動クリックボード６を設けることにより、左右の移動クリックによって一画面で表示出来るようにした。また、１つの表示枠内の表示項目数は最大９項目であるが、枠内の限度内で項目の数は自由に増減出来るものとする。【選択図】図１
2004030542.tif 000002
【特許請求の範囲】
【請求項１】
１件分のデータベースで作られた項目情報を必要の分だけ名刺型表示枠に内容を表示し、また、中心表示となる表示枠から見た縦関係、横関係を瞬時に表示。また、中心表示となる表示枠以外の情報を中心表示にする場合は、同時に設けた移動の項目をクリックする事によってクリックした該当枠を中心表示に瞬時に移動し中心表示にする手法。
【発明の詳細な説明】
【０００１】
【発明の属する技術分野】
本発明は、コンピュータソフトウェア内のソフトウェアシステムの中に組み込む補助システムに関するものである。
【０００２】
【従来の技術】
系図や各種団体の組織図などで見られるように、縦関係すなわち、上下関係の表示だけであった。
【０００３】
【発明が解決しようとする課題】
従来の縦関係すなわち、上下関係の表示だけでは上下関係に至る経緯やその他の関係が不明で種々の状況がわからず、別のシステムを併用して利用せざるを得なかった点である。
【０００５】
【課題を決定するための手段】
本発明は、従来の縦関係だけでなく、中心となる表示枠の横関係すなわち、間柄関係を関連付けることにより、別のシステムを併用しなくてはならなかった管理が瞬時に表示されるため、関連が簡単に理解できることが特徴。
及び、各独立した名刺型表示にはそれぞれに独立した関連情報を持っているため枠内の移動をクリックして、その名刺型表示枠を中心に持ってくることによってまたその枠からの縦横関係がわかる。この関係がコンピュータのデータ容量の許す限り表示できるのが特徴である。
【０００６】
【発明の実施の形態】
表示する画面の大きさが許す限り右クリックや、左クリックの繰り返し機能を設けて縦横関係を表示することを実現した。また、本システムを組み込んだソフトウェアを利用する人（以下、使用者と呼ぶ）との関係や中心となる名刺型表示枠と使用者の関係、その他の名刺型表示枠と使用者との関係などを示す情報を表示する事によってそれぞれの関連がわかるのも特徴である。
【０００７】
【発明の実施例】
図１は本システムを応用した人脈管理システムの画面表示の例である。
【０００８】
【発明の効果】
以上説明したように、本システムは人脈管理図、及び、各種の系列図、系統図、系図などに応用、適用できる。
【００１０】
【図面の簡単な説明】
【図１】本システムを応用した人脈管理システム表示のイメージ図である。
【図２】中心となる名刺型表示画面の拡大図である。
【図３】横関係の名刺型表示画面の拡大図である。
【図４】縦関係の名刺型表示画面の拡大図である。
【図５】本システムを応用した人脈管理システム表示の中心人物画面イメージ図の拡大図である。
【図６】本システムを応用した人脈管理システム表示の横関係、すなわち、間柄関係の画面イメージ図の拡大図である。
【図７】本システムを応用した人脈管理システム表示の縦関係、すなわち、中心人物から紹介された人物の画面イメージ図の拡大図である。
【図８】データベース情報として最低限必要な一覧表である。
【図９】中心人物との関係の深さを示す度合の表の例。
【図１０】中心人物本ソフトの使用者との関係の深さを示す度合の表の例。
【図１１】本ソフトを一般の管理ソフトに組み込んだ例のフローチャート。（１２ａ）は本システムの主処理である。
【図１２】本システムの主処理のフローチャート。
【符号の説明】
１　　中心人物又は名称の枠。枠の形状は規定する必要がない。
例では名刺型の四角とした。
２　　中心人物又は名称の太枠線。
３　　中心人物又は名称と間柄関係のつながり関係クリックボード。
４　　横のつながり関係（紹介者以外の間柄）の枠。枠の形状は規定する必要が
ない。例では名刺型の四角とした。
５　　横列用左側移動用クリックボード。
６　　横列用右側移動用クリックボード。
７　　人脈のつながっている線。
８　　縦のつながり関係（中心人物から紹介された名称）の枠。枠の形状は規定
する必要がない。例では名刺型の四角とした。
９　　中心人物又は名称との関係の深さにより、枠の影の濃さと枠の大きさを示
す枠。
１０　縦列用左側移動用クリックボード。
１１　縦列用右側移動用クリックボード。
ａ　　イメージ図又は、マーク又は、顔等を表示する枠。
ｂ　　図８（１）の項目内容が表示される枠。
ｃ　　図８（５）の項目内容が表示される枠。
ｄ　　図８（２）の項目内容が表示される枠。
ｅ　　図８（３）の項目内容が表示される枠。
ｆ　　図８（４）の項目内容が表示される枠。
ｇ　　図８（９）の項目内容がグラフ表示される枠。但し、グラフの形状は関係
の深さにより、見分けがつけば、どの形状でもよい。例では、区分の数だ
けの棒グラフの数と大きさで関係の深さを示している。
ｈ　　「詳細」が表示される枠
ｉ　　「ツリー」が表示される枠
ｊ　　図８（６）の項目内容が表示される枠
ｋ　　「移動」が表示される枠
【図１】
2004030542.tif 000003
【図２】
2004030542.tif 000004
【図３】
2004030542.tif 000005
【図４】
2004030542.tif 000006
【図５】
2004030542.tif 000007
【図６】
2004030542.tif 000008
【図７】
2004030542.tif 000009
【図８】
2004030542.tif 000010
【図９】
2004030542.tif 000011
【図１０】
2004030542.tif 000012
【図１１】
2004030542.tif 000013
【図１２】
2004030542.tif 000014
(57)【要約】【課題】ＣＤ盤を利用してモザイクの材料にする。【解決手段】製作過程にでるＣＤ盤不良品を利用して、ＣＤ盤を四角形、円形、三角形、人形、動物、自動車、飛行機、数字、文字等の形状に型抜き加工し、残り屑は大きさ別、色別、粉末別に選別してモザイクの材料にする。【選択図】    図１
2004209836.tif 000002
【特許請求の範囲】
【請求項１】
ＣＤ盤を四角形、円形、三角形、人形、動物、自動車、飛行機、数字、文字等の形状に型抜き加工し、残りの切り屑は大きさ別、色別、粉末別に選別してなるＣＤ盤利用のモザイクの材料。
【発明の詳細な説明】
【０００１】
【発明の属する技術分野】
本発明はＣＤ盤を型抜き、加工したモザイクの材料。
【０００２】
【従来の技術】
従来はＣＤ盤製作過程に出るＣＤ盤の不良品は粉砕し、プラスチックの原材料
にするか、又は廃棄物として処分している。
【０００３】
【発明が解決しようとする課題】
本案はＣＤ盤製作過程に出るＣＤ盤の不良品を利用してモザイクの材料にするものである。
【０００４】
【課題を解決するための手段】
上記の目的を達成するため、本発明はＣＤ盤製作過程に出る不良品を利用して、ＣＤ盤を四角形、円形、三角形、人形、動物、自動車、飛行機、数字、文字等の形状に型抜き加工し、残り屑は大きさ別、色別、粉末別に選別してモザイクの材料にする。
【０００５】
【発明の効果】
ＣＤ盤は薄く、軽くて美しい、電灯や太陽の光が当ると、白い録音面は反射が強烈で虹色をまじえて白く輝く、片面は文字と種々の鮮明な色で印刷されている。本案の白く輝く反射面と鮮明な色を有するＣＤ盤で作られた本案のモザイク材料は手芸、子供の工作、アート、建築物等のモザイクとして使用するほか、薄くて軽いので、劇場の舞台装置、舞台のカーテン、舞台衣装等の装飾に利用出きる。
虹色をまじえて白く光輝く録音面は交通標識に利用すれば自動車のヘッドライトの強烈な反射面となる。
本案は薄くて軽いので仕事がしやすく、モザイク作品全体の重量が軽くできるので運搬のコストの削減を図ることができる。
本案は主としてＣＤ盤の廃物利用であるので安価なモザイク材料を提供できる。
本案はＣＤ盤の外ＤＶＤ盤等を利用し、型抜き加工してモザイクの材料することができる。
【図面の簡単な説明】
【図１】本案モザイク材料を型抜きした後のＣＤ盤の平面図である。
【図２】型抜きした本案の実施例を示すモザイクの材料の各種
【符号の説明】
１  ＣＤ盤
２  モザイクの材料各種
【図１】
2004209836.tif 000003
【図２】
2004209836.tif 000004
(57)【要約】      （修正有）【課題】ガラス面に薄い水膜を作り流す装置において、幅の広い装置を可能とし、水滴が落ちない水のカーテンの吐出口を提供する。【解決手段】吐出口のスリットを三角形とし、ビス３をしめると装置自体がガラス５面に密着し、短い装置を連続して配置する構成としている。【選択図】    図１
2004209828.tif 000002
【特許請求の範囲】
【請求項１】
吐出口から水を薄くたれないように出す。
【請求項２】
吐出口のガラス面への密着。
【請求項３】
吐出口を連続して幅の広い装置をつくる。
【発明の詳細な説明】
【０００１】
【発明の属する技術分野】
本発明は、ガラス面に薄い水膜を作り流す装置の製造方法に関する。
【０００２】
【従来の技術】
従来の装置では、幅の広い装置を作ることがてきず、時々水滴が落ちた。
（例えば、平成８年  実用新案登録願第０１０４０９号参照）
【０００３】
【発明が解決しようとする課題】
従来の装置ではてきなかった幅の広い装置の製作ができるようにし、時々落ちてた水滴を落とさないようにする。
【０００４】
【課題を解決するための手段】
上記の問題を解決するために、吐出口のスリットを三角形にし、ビスをしめると装置自体がガラス面に密着し、短い装置を連続して配置することにより幅の広い装置を製作できるようになった。
【０００５】
【発明の実施の形態】
本発明は、装置を取りつけるビスをしめると装置自体がガラス面側にかしぎ、ガラス面との均一の隙間をつくることができ水滴の垂れるのを防ぐ。
【０００６】
装置同士の空間をあける連結方法で装置を連続させ、装置自体を短くすることにより、ねじれによるガラスと装置の隙間の狂うの防ぐ。
【０００７】
装置同士の空間をあける連結方法で装置を連続することで、幅の広い装置を製作することができる。
【０００８】
【実施例】
実施例について図面を参照して説明すると、図１において吐出口を４の固定用サンに３のビスでガラス面に取りつける。２の突起があるので３のビスをしめると吐出口はガラス側に傾き、吐出口がガラス面から離れて水がガラス面につかずに水滴となって垂れるのを防いでいる。
【０００９】
図１で、１の三角棒が水がガラス面以外にまわるのを防いでいる。
【００１０】
図２で、吐出口を３ｍｍ〜５ｍｍあけることにより、吐出口の連結部よりの水滴の垂れるのを防いでいる。
【００１１】
【発明の効果】
本発明は、以上説明したような形状で実施され、以下に記載されるような効果を奏する。
【００１２】
突起による吐出口傾きと三角棒によって水が水滴となって落ちない。
【００１３】
吐出口を少し離すことにより、吐出口を連続して使用しても水滴が落ちず、幅の広い水のカーテンの製作ができる。
【図面の簡単な説明】
【図１】吐出口の断面図である。
【図２】吐出口正面図である。
【符号の説明】
１三角棒
２突起
３ビス
４固定用サン
５ガラス
【図１】
2004209828.tif 000003
【図２】
2004209828.tif 000004
(57)【要約】【課題】１軸のフィードスクリューで咬み込み性に優れた押出機を供する。【解決手段】１軸押出機のフィードスクリュー５の材料を投入する上流側で同フィードスクリュー５に対してサブスクリュー６が角度θをもって下流端を交接させる押出機。【選択図】  図２
2004209730.tif 000002
【特許請求の範囲】
【請求項１】
１軸押出機のフィードスクリューの材料を投入する上流側で同フィードスクリューに対してサブスクリューが角度θをもって下流端を交接させることを特徴とする押出機。
【請求項２】
前記角度θは10〜30度であることを特徴とする請求項１記載の押出機。
【発明の詳細な説明】
【０００１】
【発明の属する技術分野】
本発明は、シート状の可塑性材料を移送しながらせん断して押出す押出機に関する。
【０００２】
【従来の技術】
移送しながらせん断するため２軸のスクリューを平行に噛み合わせた２軸押出機が一般的であった（例えば、特許文献１を参照。）。
【０００３】
【特許文献１】
特開平１０−２８６８２４号公報
【０００４】
しかしフィードスクリューを２本用意しなければならい。
そこで１軸のフィードスクリューで材料投入箇所でフラットロールを平行に隣接させたものがある。
【０００５】
【発明が解決しようとする課題】
フィードスクリューにフラットロールを隣接させただけであると、ゴム等の可塑性材料の荒生地シートが投入されたとき、シートの咬み込み性が悪く、シートの抵抗により不稼動時間が発生することがある。
【０００６】
特に硬ゴム（粘度70ポイント以上の荒生地シート）では、咬み込み性が更に悪化する。
【０００７】
本発明は斯かる点に鑑みなされたもので、その目的とする処は、１軸のフィードスクリューで咬み込み性に優れた押出機を供する点にある。
【０００８】
【課題を解決するための手段及び作用効果】
上記目的を達成するために、本請求項１記載の発明は、１軸押出機のフィードスクリューの材料を投入する上流側で同フィードスクリューに対してサブスクリューが角度θをもって下流端を交接させる押出機とした。
【０００９】
可塑性材料の荒生地シートなどをフィードスクリューの上流側に投入すると、フィードスクリューおよびサブスクリューにより移送され、フィードスクリューとサブスクリューとの間で徐々にクリアランスが狭くなり交接部分に近づくに従い咬み込みが容易になされせん断力が効果的に働く。
【００１０】
請求項２記載の発明は、請求項１記載の押出機において、前記角度θが10〜30度であることを特徴とする。
【００１１】
フィードスクリューとサブスクリューとが10〜30度の角度で交接することで、可塑材料の荒生地シートの咬み込みが確実になされる。
【００１２】
【発明の実施の形態】
以下本発明に係る一実施の形態について図１ないし図４に基づき説明する。
本実施の形態に係る１軸押出機１のシリンダの一部を削除した側面図を図１に、平面図を図２に図示する。
【００１３】
シリンダ２は、上流側が側方に膨出した膨出部３を形成しており、下流端に押出部４を有している。
このシリンダ２内に長尺のフィードスクリュー５が配設され、膨出部３内には短尺のサブスクリュー６が配設されている。
【００１４】
フィードスクリュー５とサブスクリュー６は、共に回転軸５ａ，６ａの周面に螺旋状にフライト５ｂ，６ｂが形成された同形のスクリューで、フィードスクリュー５に対してサブスクリュー６は角度θをもって下流端を干渉しないように交接させている。
【００１５】
本１軸押出機１の場合、フィードスクリュー５とサブスクリュー６のなす角度θは約15度であるが、10〜30度の範囲で有効である。
したがってフィードスクリュー５とサブスクリュー６は、下流側にいくに従い互いの間のクリアランスが徐々に狭くなり交接部に至る。
【００１６】
シリンダ２の上流部にはホッパー７が上方に突設されており、ホッパー７にゴム材料の荒生地シート10が投入される。
【００１７】
ホッパー７に投入された荒生地シート10は、図３に示すようにフィードスクリュー５とサブスクリュー６の上流側のクリアランスの大きい箇所に入り、初めは図示されないモータを駆動源とするフィードスクリュー５とサブスクリュー６の回転により下流側に移送される。
【００１８】
荒生地シート10は、下流側に移送されるに従い図４に示すようにクリアランスが徐々に狭くなるフィードスクリュー５とサブスクリュー６との間に挟み込まれて両者の交接部分に近づくので、咬み込みが容易になされせん断力が効果的に働き荒生地シート10はせん断されて練られ押出部４に至り、押出部４から押出される。
【００１９】
以上のように本１軸押出機１は１軸のフィードスクリュー５に基づく押出機であって荒生地シート10の咬み込み性に優れている。
またフィードスクリュー５もサブスクリュー６のいずれも特殊なスクリューでなく一般的なスクリューであって構造も簡単であるので、コストも抑えることができる。
【図面の簡単な説明】
【図１】本発明の一実施の形態に係る１軸押出機のシリンダの一部を削除した側面図である。
【図２】同平面図である。
【図３】荒生地シートを投入された当初の同平面図である。
【図４】荒生地シートが咬み込まれる様子を示す同平面図である。
【符号の説明】
１…１軸押出機、２…シリンダ、３…膨出部、４…押出部、５…フィードスクリュー、６…サブスクリュー、７…ホッパー、
10…荒生地シート。
【図１】
2004209730.tif 000003
【図２】
2004209730.tif 000004
【図３】
2004209730.tif 000005
【図４】
2004209730.tif 000006
(57)【要約】【課題】浴室で、お湯を使用する時、お湯が出るまでの間に多量の水が吐水される。その水を、お湯が出るまで流してしまい捨て水となってしまう場合が多いので、その水を貯水し、再利用できるようにする事。【解決手段】椅子の上部にフタを取り付け、内部を空洞にし、貯水タンクとしての機能を付け加える。シャワーや吐水時に、お湯が出るまでの水を貯水タンクに入れ、節水や生活用水の再利用に役立てる。椅子（踏み台）の側面には、取っ手を設け、持ち運びや汲み替え時、楽に作業できるよう配慮する。【選択図】      図２
2004209202.tif 000002
【特許請求の範囲】
【請求項１】
貯水機能を設けた浴室椅子
【発明の詳細な説明】
浴室で、お湯を使用する時、お湯が出るまでの間に多量の水が吐水される。その水を、お湯が出るまでそのまま排水口に流してしまい、捨て水となってしまう場合が多い。その水を再利用できるように、椅子の上部にフタを取り付け、椅子の内部を空洞にし、貯水タンクとしての機能を付け加える。シャワーや吐水時に、お湯が出るまでの水を貯水タンクに入れ、節水や生活用水の再利用に役立てる。椅子の側面には、取っ手を設け、持ち運びや汲み替え時など、楽に作業できるよう配慮した。
【０００１】
【発明の属する技術的分野】
本発明は、出湯時お湯が出るまでの捨て水の再利用に関する。
【０００２】
【従来の技術】
今まで、出湯時に関する捨て水貯水については前例なし。
【０００３】
【発明が解決しようとする課題】
浴室で、お湯を使用する時、お湯が出るまでの間に多量の水が吐水される。その水を、お湯が出るまで流してしまい捨て水となってしまう場合が多いので、その水を再利用できるようにする事。
【０００４】
【課題を解決するための手段】
椅子の上部にフタを取り付け、内部を空洞にし、貯水タンクとしての機能を付け加える。シャワーや吐水時に、お湯が出るまでの水を貯水タンクに入れ、節水や生活用水の再利用に役立てる。
【０００５】
【発明の効果】
出湯時の捨て水を貯水することによって、多目的に使用できると共に節水効果も得られる。食器洗いや拭き掃除、植物への水やりなど、再利用することにより、経済的負担も緩和される。
【図面の簡単な説明】
【図１】‥‥椅子の正面図
【図２】‥‥椅子の上部
【図３】‥‥椅子の側面図
Ａ‥‥・フタ（水入れ口）
Ｂ‥‥・取っ手
Ｃ‥‥・滑り止めゴム板
【図１】
2004209202.tif 000003
【図２】
2004209202.tif 000004
【図３】
2004209202.tif 000005